(57)【要約】【課題】不要なＣＳＩ報告を低減することが可能な基地局、通信端末および無線通信方法を提供すること。【解決手段】基地局（１）は、送信部（２）を備える。送信部（２）は、少なくとも１つの通信端末にチャネル状態情報（ＣＳＩ：Channel State Information）報告を指示する第１の制御情報と、ＣＳＩ報告の指示に応じるか否かを少なくとも１つの通信端末の各々に判定させるための第２の制御情報と、を少なくとも１つの通信端末に送信する。【選択図】図１
2019169838.tif 000002
【特許請求の範囲】
【請求項１】
少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々に判定させるための第２の制御情報と、を前記少なくとも１つの通信端末に送信する送信部を備える、基地局。
【請求項２】
前記第１の制御情報は、前記ＣＳＩ報告をトリガするトリガ情報であって、候補となる複数のトリガ情報を含み、
前記第２の制御情報は、前記複数のトリガ情報のうちのいずれかを指定するインデックス情報であり、
前記送信部は、前記インデックス情報が指定したトリガ情報に基づいて、前記ＣＳＩ報告の指示に応じるか否かを前記少なくとも１つの通信端末の各々に判定させる、請求項１に記載の基地局。
【請求項３】
前記トリガ情報は、ＣＳＩ  ｒｅｑｕｅｓｔであり、
前記送信部は、前記インデックス情報が指定したＣＳＩ  ｒｅｑｕｅｓｔの値が所定値である場合、前記ＣＳＩ報告の指示に応じないと前記少なくとも１つの通信端末の各々に判定させ、前記インデックス情報が指定したＣＳＩ  ｒｅｑｕｅｓｔの値が所定値ではない場合、前記ＣＳＩ  ｒｅｑｕｅｓｔの値に基づく前記ＣＳＩ報告を前記少なくとも１つの通信端末の各々に行わせる、請求項２に記載の基地局。
【請求項４】
前記第１の制御情報は、前記少なくとも１つの通信端末に共通する前記ＣＳＩ報告をトリガするトリガ情報と、前記トリガ情報に関連付けられた前記ＣＳＩ報告の設定情報と、を含み、
前記第２の制御情報は、前記設定情報が有効であるか否かを示す情報であり、
前記送信部は、前記第２の制御情報に基づいて、前記ＣＳＩ報告の指示に応じるか否かを前記少なくとも１つの通信端末の各々に判定させる、請求項１に記載の基地局。
【請求項５】
前記送信部は、前記設定情報が無効である場合、前記ＣＳＩ報告の指示に応じないと前記少なくとも１つの通信端末の各々に判定させ、前記設定情報が有効である場合、前記設定情報に基づく前記ＣＳＩ報告を前記少なくとも１つの通信端末の各々に行わせる、請求項４に記載の基地局。
【請求項６】
前記トリガ情報は、ＣＳＩ  ｒｅｑｕｅｓｔであり、
前記第２の制御情報は、ＭＡＣ（Medium Access Control）コントロールエレメントを用いた情報である、請求項４または５に記載の基地局。
【請求項７】
前記第１の制御情報は、前記少なくとも１つの通信端末に共通する前記ＣＳＩ報告をトリガするトリガ情報と、前記トリガ情報に関連付けられた基準参照信号を識別する識別情報と、を含み、
前記第２の制御情報は、前記ＣＳＩ報告の指示に応じるか否かを判定する際に用いる閾値であり、
前記送信部は、前記識別情報により識別される基準参照信号に対する測定結果の履歴情報と前記閾値とに基づいて、前記ＣＳＩ報告の指示に応じるか否かを前記少なくとも１つの通信端末の各々に判定させる、請求項１に記載の基地局。
【請求項８】
前記送信部は、前記履歴情報に含まれる前記測定結果が前記閾値未満である場合、前記ＣＳＩ報告の指示に応じないと前記少なくとも１つの通信端末の各々に判定させ、前記履歴情報に含まれる前記測定結果が前記閾値以上である場合、前記トリガ情報に基づく前記ＣＳＩ報告を前記少なくとも１つの通信端末の各々に行わせる、請求項７に記載の基地局。
【請求項９】
自装置を含む少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々が判定するための第２の制御情報と、を基地局から受信する受信部と、
前記第２の制御情報に基づいて、前記ＣＳＩ報告の指示に応じるか否かを判定する判定部と、
前記判定部が前記ＣＳＩ報告の指示に応じると判定する場合、前記第１の制御情報に基づく前記ＣＳＩ報告を前記基地局に送信する送信部と、を備える通信端末。
【請求項１０】
少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々に判定させるための第２の制御情報と、を前記少なくとも１つの通信端末に送信する、無線通信方法。
【発明の詳細な説明】
【技術分野】
【０００１】
本開示は、基地局、通信端末および無線通信方法に関する。
【背景技術】
【０００２】
現在、３ＧＰＰ（3rd Generation Partnership Project）において、第５世代の移動通信システムであるＮＲ（New Radio）の仕様策定が行われている。ＮＲでは、多数のアンテナ素子を用いてビームフォーミングを行うことが想定されている。とりわけ数十ＧＨｚのキャリア周波数が用いられるミリ波帯では、ビームフォーミングは大きな伝搬損失を補償するための有力な手段となり得る。
【０００３】
ビームフォーミングにより得られる最大のゲインは、送信ビームの指向性を高めることにより増大するが、その一方で一定以上のゲインが得られる空間的範囲は狭くなる。そのため、基地局は、通信端末の空間的位置に基づいて、通信端末に向けられた送信ビームを正確に追従させて、送信ビームの指向性を高めることが必要となる。伝搬路が上りおよび下りで非対称（non-reciprocal）な場合や他の無線リンクからの干渉が大きい場合でも、基地局が通信端末に向けられた送信ビームを高精度に正確に追従させるためには、送信ビームに対する測定結果の報告を通信端末から受信する必要がある。
【０００４】
基地局は、送信ビームに対する測定結果の報告を通信端末から受信するために、一定の空間的範囲をカバーする複数の送信ビームを用いて、複数の参照信号（ＲＳ：Reference Signal）を上記空間的範囲に存在する通信端末に送信する。そして、通信端末は、複数のＲＳのＲＳＲＰ（Reference Signal Received Power）を測定し、測定したＲＳＲＰを含むチャネル状態情報（ＣＳＩ：Channel State Information）報告を基地局に送信する。
【０００５】
基地局は、受信したＲＳＲＰに基づいて、各通信端末に対する好適な送信ビームの指向性を決定することが可能となる。そして、基地局は、決定した送信ビームを用いて各通信端末に対してデータを送信する。
【０００６】
このような処理を実現するために、基地局は、複数の通信端末のそれぞれに対して、ＲＳＲＰの測定結果を報告させる指示情報を送信する必要がある。しかし、通信端末の数が多ければ多いほど、基地局が送信する指示情報のデータ量が増大してしまう。すなわち、このような場合、制御情報のオーバヘッドが増大してしまうという問題が発生する。
【０００７】
ここで、非特許文献１および非特許文献２を参照して、上記問題に関連するＮＲの技術仕様について説明する。ＮＲでは、ＲＳＲＰの測定のためのＲＳとして、ＳＳ／ＰＢＣＨ−ｂｌｏｃｋ（Synchronization Signal/Physical Broadcast Channel-block）またはＣＳＩ−ＲＳ（Channel State Information-Reference Signal）が用いられる。
【０００８】
ＳＳ／ＰＢＣＨ−ｂｌｏｃｋは、４個のＯＦＤＭシンボルで構成され、５、１０、２０、４０、８０、または１６０ｍｓのいずれかの周期で送信される。周期毎に送信可能なＳＳ／ＰＢＣＨ−ｂｌｏｃｋの個数は、キャリア周波数が６ＧＨｚ未満の場合は８であり、キャリア周波数が６ＧＨｚ以上の場合は６４である。周期内の各ＳＳ／ＰＢＣＨ−ｂｌｏｃｋには昇順にインデックスが付与されており、キャリア周波数が６ＧＨｚ以上の場合、インデックスの範囲は０から６３である。異なるインデックスが付与されたＳＳ／ＰＢＣＨ−ｂｌｏｃｋには異なる送信ビームを適用可能である。
【０００９】
ＣＳＩ−ＲＳは、通信端末がＣＳＩを生成する際に測定の対象とするＲＳである（例えば、特許文献１）。ＣＳＩ−ＲＳは周期性の観点から、周期的（periodic）ＣＳＩ−ＲＳ、半永続的（semi-persistent）ＣＳＩ−ＲＳ及び非周期的（aperiodic）ＣＳＩ−ＲＳの３種類に分類される。
【００１０】
このうち、非周期的ＣＳＩ−ＲＳは、１つの送信トリガにより１回のＣＳＩ−ＲＳ送信が行われるという特徴を有する。この送信トリガは、ダウンリンク制御チャネル（ＰＤＣＣＨ：Physical Downlink Control Channel）により送信されるダウンリンク制御情報（ＤＣＩ：Downlink Control Information）に含まれる。そして、非周期的ＣＳＩ−ＲＳは、当該ＤＣＩが送信されるスロットと同一または異なるスロットで送信される。非周期的ＣＳＩ−ＲＳと非周期的ＣＳＩ報告（aperiodic CSI reporting）は、同時にトリガされる。
【００１１】
非周期的ＣＳＩ−ＲＳと非周期的ＣＳＩ報告の組み合わせは、高精度なビーム追従を実現するために適していると考えられている。具体的には、上記組み合わせはＤＣＩにより動的にトリガ可能であるため、通信端末の移動速度、地理的位置及び報告された情報に応じて、基地局が送信ビームの候補を決定し、通信端末に対してＲＳＲＰの測定を指示できる。換言すると、基地局は、非周期的ＣＳＩ−ＲＳおよび非周期的ＣＳＩ報告の指示情報を所望するタイミングで送信することが可能であることから、通信端末に対して、ＲＳＲＰの測定を所望するタイミングで指示することが可能となる。さらに、非周期的ＣＳＩ−ＲＳは、送信回数が１回であることから、ＣＳＩ−ＲＳによりダウンリンクの無線リソースが占有される時間を短縮することができる。
【００１２】
ここで、上述したように、基地局が多数の通信端末のそれぞれに対して、ＲＳＲＰの測定およびＣＳＩ報告の指示を行うと、制御情報のオーバヘッドが増大する。そのため、高精度なビーム追従を実現すると共に、制御情報のオーバヘッドが増大することを抑制するための関連技術が検討されている（非特許文献３および非特許文献４）。
【００１３】
非特許文献３には、複数の通信端末に共通のダウンリンク制御チャネルを用いて、非周期的ＣＳＩ−ＲＳの送信を通知することが記載されている。また、非特許文献４には、複数の通信端末に共通のダウンリンク制御チャネルを用いて、非周期的ＣＳＩ報告を指示することが記載されている。これにより、制御情報のオーバヘッドが増大することを抑制することが出来る。
【先行技術文献】
【特許文献】
【００１４】
【特許文献１】特表２０１３−５２７６４４号公報
【非特許文献】
【００１５】
【非特許文献１】3GPP, “3GPP TS38. 211 v15.0.0,” Dec. 2017.
【非特許文献２】3GPP, “3GPP TS38. 214 v15.0.0,” Dec. 2017.
【非特許文献３】NTT DOCOMO, INC. “Views on common PDCCH”, 3GPP TSG RAN WG1 Meeting #88. Athens, Greece, 13th-17th February 2017. R1-1702807
【非特許文献４】Samsung “Triggered UCI Transmissions”, 3GPP TSG RAN WG1 NR Ad-Hoc Meeting #3. Nagoya, Japan, 18-25 September 2017. R1-1716017
【発明の概要】
【発明が解決しようとする課題】
【００１６】
しかしながら、上述した非特許文献１〜４には、複数の通信端末に共通のダウンリンク制御チャネルを用いて、非周期的ＣＳＩ報告を指示することについて具体的な手段が開示されていない。
【００１７】
ところで、無線リソース利用効率を向上するためには、空間的に接近した位置に存在する複数の通信端末が共通のＣＳＩ−ＲＳを対象としてＲＳＲＰを測定するように指示を行い、ダウンリンクの無線リソースを消費しないことが望ましい。
【００１８】
一方で、ＣＳＩ−ＲＳの送信ビームがカバーできない空間的位置に存在する通信端末に対して、ＲＳＲＰの測定およびＣＳＩ報告を行わせないことが望ましい。これは、通信端末のＲＳＲＰの測定に要する消費電力を削減するとともに、アップリンクの無線リソースが無駄に消費され、さらに他の無線リンクへの干渉となることを防ぐためである。
【００１９】
本開示の目的は、上述の問題を解決するためになされたものであり、不要なＣＳＩ報告を低減することが可能な基地局、通信端末および無線通信方法を提供することである。
【課題を解決するための手段】
【００２０】
本開示にかかる基地局は、
少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々に判定させるための第２の制御情報と、を前記少なくとも１つの通信端末に送信する送信部を備える。
【００２１】
本開示にかかる通信端末は、
自装置を含む少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々が判定するための第２の制御情報と、を基地局から受信する受信部と、
前記第２の制御情報に基づいて、前記ＣＳＩ報告の指示に応じるか否かを判定する判定部と、
前記判定部が前記ＣＳＩ報告の指示に応じると判定する場合、前記第１の制御情報に基づく前記ＣＳＩ報告を前記基地局に送信する送信部と、を備える。
【００２２】
本開示にかかる無線通信方法は、
少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々に判定させるための第２の制御情報と、を前記少なくとも１つの通信端末に送信する、無線通信方法である。
【発明の効果】
【００２３】
本開示によれば、不要なＣＳＩ報告を低減することが可能な基地局、通信端末および無線通信方法を提供できる。
【図面の簡単な説明】
【００２４】
【図１】実施の形態の概要にかかる基地局の構成例を示す図である。
【図２】ＮＲのＣＳＩフレームワークを説明する図である。
【図３】非周期的ＣＳＩ−ＲＳのＣＳＩ報告設定およびＣＳＩ−ＲＳリソース設定取得処理の一例を説明する図である。
【図４】ＣＳＩ報告設定およびＣＳＩ−ＲＳリソース設定取得後のＣＳＩ−ＲＳリソースセット選択、ＣＳＩ−ＲＳリソース取得処理を説明する図である。
【図５】リファレンスＲＳを説明する図である。
【図６】実施の形態１にかかる無線通信システムの構成例を示す図である。
【図７】実施の形態１にかかる基地局の構成例を示す図である。
【図８】実施の形態１にかかる指示情報と判定情報の関係を説明する図である。
【図９】実施の形態１にかかる通信端末の構成例を示す図である。
【図１０】実施の形態１にかかる無線通信システムの動作例を説明する図である。
【図１１】実施の形態２にかかる指示情報および判定情報の関係を説明する図である。
【図１２】実施の形態３にかかる通信端末の構成例を示す図である。
【図１３】実施の形態３におけるＣＳＩ報告の実施判定を説明する図である。
【図１４】他の実施の形態にかかる基地局および通信端末の構成例を示す概略構成図である。
【発明を実施するための形態】
【００２５】
（実施の形態の概要）
本開示の実施の形態の説明に先立って、実施の形態の概要について説明する。図１は、実施の形態の概要にかかる基地局の構成例を示す図である。
【００２６】
基地局１は、送信部２を備える。
送信部２は、少なくとも１つの通信端末にＣＳＩ報告を指示する第１の制御情報と、ＣＳＩ報告の指示に応じるか否かを各通信端末に判定させるための第２の制御情報と、を少なくとも１つの通信端末に送信する。
【００２７】
以上説明したように、実施の形態にかかる基地局１は、少なくとも１つの通信端末にＣＳＩ報告を指示する第１の制御情報と、ＣＳＩ報告の指示に応じるか否かを各通信端末に判定させるための第２の制御情報と、を少なくとも１つの通信端末に送信する。基地局１は、第２の制御情報に基づいて、ＣＳＩ報告の指示に応じるか否かを各通信端末に判定させる。各通信端末は、ＣＳＩ報告の指示に応じる場合、第１の制御情報に従ってＣＳＩ報告を行う。一方、各通信端末は、ＣＳＩ報告の指示に応じない場合、ＣＳＩ報告を行わない。すなわち、実施の形態にかかる基地局１によれば、各無線端末に対して必要なＣＳＩ報告のみを行わせるように制御をすることが可能となる。したがって、本開示の実施の形態によれば、不要なＣＳＩ報告を低減することが可能となる。
【００２８】
（実施の形態１）
続いて、本開示の実施の形態１について説明するが、実施の形態１の詳細を説明する前に、本開示に関連する前提となる技術について説明する。
【００２９】
＜ＮＲのＣＳＩフレームワーク＞
まず、図２を用いて、ＮＲのＣＳＩフレームワークについて説明する。図２は、ＮＲのＣＳＩフレームワークを説明する図である。具体的には、図２は、非周期的ＣＳＩ報告の設定に用いられるＲＲＣ（Radio Resource Control）メッセージを説明する図である。
【００３０】
図２に示すように、ＮＲのＣＳＩフレームワークでは、ＣＳＩの測定および報告の設定のためにＲＲＣメッセージが用いられる。基地局は、ＲＲＣメッセージを用いて、１個のＣＳＩ測定設定（MeasConfig）を設定する。ＣＳＩ測定設定は、１個以上のＣＳＩ報告設定（ReportConfig）、１個以上のＣＳＩ−ＲＳリソース設定（ResourceConfig）および１個以上の結合情報（MeasLinkConfig）を含む。
【００３１】
ＣＳＩは、ＣＱＩ（Channel Quality Indicator）、ＰＭＩ（Precoding Matrix Indicator）、ＣＲＩ（CSI-RS resource indicator）、ＬＩ（Layer Indication）、ＲＩ（Rank Indication）およびＲＳＲＰ等の情報を含む。なお、ＣＳＩは、上記情報の全てを含んでもよいし、上記のうちの一部の情報を含むように構成されていてもよい。また、ＣＳＩを構成するＲＳＲＰは、他の目的で測定されるＲＳＲＰと区別する目的でＬ１−ＲＳＲＰ（Layer 1-Reference Signal Received Power）とも呼ばれる。
【００３２】
結合情報は、ＣＳＩ報告設定のＩＤ、ＣＳＩ−ＲＳリソース設定のＩＤおよび測定対象情報（チャネルまたは干渉）を含む。結合情報は、ＣＳＩ報告設定およびＣＳＩ−ＲＳリソース設定を相互に関連させる情報である。
【００３３】
また、ＣＳＩ報告設定は、報告設定タイプ（reportConfigType）を含み、ＣＳＩ報告の周期性について、周期的（periodic）、半永続的（semi-persistent）、または非周期的（aperiodic）のいずれかを設定可能に構成されている。
【００３４】
また、ＣＳＩ報告設定は、報告対象情報（ReportQuantity）を含む。報告対象情報に’ＣＲＩ／ＲＳＲＰ’が設定されている場合、通信端末は、ＣＳＩ−ＲＳのＲＳＲＰを測定し、ＣＳＩ報告を行う。以降、ＣＳＩ報告設定の報告対象情報に’ＣＲＩ／ＲＳＲＰ’が設定されている場合のＣＳＩフレームワークの動作について説明する。
【００３５】
通信端末は、ＣＳＩ報告設定に含まれる報告対象ＣＳＩ−ＲＳ数（nrofReportedRS）から測定するＣＳＩ−ＲＳの個数を特定する。測定対象のＣＳＩ−ＲＳの個数が１個に設定されている場合、通信端末は、ＣＳＩ−ＲＳのＲＳＲＰを、−１４０ｄＢｍから−４４ｄＢｍの範囲において、１ｄＢのステップサイズを用いて７ビットに量子化する。測定対象のＣＳＩ−ＲＳの個数が２個以上に設定されている場合、通信端末は、複数のＣＳＩ−ＲＳのうち、ＲＳＲＰの最大値を算出し、各ＣＳＩ−ＲＳのＲＳＲＰとの差分を計算する。ＲＳＲＰの最大値は、７ビットに量子化され、他のＣＳＩ−ＲＳのそれぞれのＲＳＲＰと、上記最大値との差分は２ｄＢのステップサイズを用いて４ビットに量子化される。
【００３６】
ＣＳＩ−ＲＳリソース設定（ResourceConfig）は、リソースタイプ（ResourceConfigType）を含む。リソースタイプは、ＣＳＩ−ＲＳの周期性について、周期的（periodic）、半永続的（semi-persistent）または非周期的（aperiodic）のいずれかを設定可能に構成されている。なお、リソースタイプが「非周期的」として設定されている場合、関連付けられるＣＳＩ報告設定の報告設定タイプも「非周期的」とする必要がある。
【００３７】
また、ＣＳＩ−ＲＳリソース設定は、１個以上のＣＳＩ−ＲＳリソースセットを含み、ＣＳＩ−ＲＳリソースセットはさらに１個以上のＣＳＩ−ＲＳリソースを含む。各ＣＳＩ−ＲＳリソースに対し、ＣＳＩ−ＲＳの送信に使用される、アンテナポート数、時間領域リソースおよび周波数領域リソースが設定される。１個のＣＳＩ−ＲＳリソース設定は最大１６個のＣＳＩ−ＲＳリソースセットおよび最大１２８個のＣＳＩ−ＲＳリソースを含む。また、１個のＣＳＩ−ＲＳリソースセットは、最大６４個のＣＳＩ−ＲＳリソースを含む。
【００３８】
ＣＳＩ報告設定の報告設定タイプが「非周期的」または「半永続的」の場合、ＣＳＩ測定設定は１個以上のトリガステート（ReportTrigger）を含む。なお、トリガステートは、ＲｅｐｏｒｔＴｒｉｇｇｅｒに含まれるｔｒｉｇｇｅｒ  ｓｔａｔｅを示していることから、トリガステートをｔｒｉｇｇｅｒ  ｓｔａｔｅと記載することがある。トリガステートは１個以上のＣＳＩ報告設定に関連付けられる情報である。さらに、ＣＳＩ報告設定は、結合情報によりＣＳＩ−ＲＳリソース設定に関連付けられる。
【００３９】
さらに、ＣＳＩ報告設定の報告設定タイプが「非周期的」の場合、トリガステートとして非周期的トリガステート（AperiodicReportTrigger）が設定される。非周期的トリガステートに対応するＣＳＩ報告設定が複数の非周期的ＣＳＩ−ＲＳリソースセットを含むＣＳＩ−ＲＳリソース設定に関連付けられる場合、ＲＲＣメッセージで設定されたビットマップにより指定された非周期的ＣＳＩ−ＲＳリソースセットが選択される。非周期的ＣＳＩ−ＲＳのトリガは、ＤＣＩに含まれる最大６ビットのＣＳＩ  ｒｅｑｕｅｓｔフィールドによって、この非周期的トリガステートを指定することで行われる。なお、以降の説明において、ＣＳＩ  ｒｅｑｕｅｔをトリガ情報と称して記載することがある。なお、ＣＳＩ  ｒｅｑｕｅｓｔは、ＣＳＩ報告の要求情報とも言える。
上記のように、非周期的トリガステートを選択することにより、ＣＳＩ報告設定やＣＳＩ−ＲＳリソース設定を動的に選択することができる。
【００４０】
＜非周期的ＣＳＩ−ＲＳのＣＳＩ報告設定、ＣＳＩ−ＲＳリソース設定取得処理＞
次に、図３を用いて、非周期的ＣＳＩ−ＲＳのＣＳＩ報告設定およびＣＳＩ−ＲＳリソース設定取得処理の一例を説明する。図３は、非周期的ＣＳＩ−ＲＳのＣＳＩ報告設定およびＣＳＩ−ＲＳリソース設定取得処理の一例を説明する図である。
【００４１】
まず、通信端末は、ＤＣＩ  ｆｏｒｍａｔをデコード（復号）して、ＣＳＩ  ｒｅｑｕｅｓｔを取得する。図３に示す一例では、通信端末がＤＣＩ  ｆｏｒｍａｔをデコードし、ＣＳＩ  ｒｅｑｕｅｓｔ＝２を取得する。
【００４２】
次に、通信端末は、取得したＣＳＩ  ｒｅｑｕｅｓｔに対応するトリガステートを参照する。図３に示す一例では、通信端末は、ＣＳＩ  ｒｅｑｕｅｓｔ＝２を取得したので、ＣＳＩ  ｒｅｑｕｅｓｔ＝２に対応するｔｒｉｇｇｅｒ  ｓｔａｔｅ＝２を参照する。なお、以降の説明において、「参照」を「取得」として記載することがあり、「取得」を「参照」として記載することがある。
【００４３】
そして、通信端末は、参照したトリガステートに含まれるＣＳＩ報告設定ＩＤリスト(ReportConfigIDList)を参照して、ＣＳＩ報告設定（ReportConfig）を特定する。図３に示す一例では、ｔｒｉｇｇｅｒ  ｓｔａｔｅ＝２に含まれるＣＳＩ報告設定ＩＤリストは、ＲｅｐｏｒｔＣｏｎｆｉｇＩＤＬｉｓｔ＝｛３｝であるので、通信端末は、ＲｅｐｏｒｔＣｏｎｆｉｇＩｄが３のＣＳＩ報告設定を特定する。
【００４４】
次に、通信端末は、結合情報（MeasLinkConfig）を参照して、特定したＣＳＩ報告設定（ReportConfig）と結合したＣＳＩ−ＲＳリソース設定（ResourceConfig）を特定し、特定したＣＳＩ−ＲＳリソース設定も同時に参照する。具体的には、特定したＲｅｐｏｒｔＣｏｎｆｉｇのＩＤを含む結合情報であるＭｅａｓＬｉｎｋＣｏｎｆｉｇを参照する。参照したＭｅａｓＬｉｎｋＣｏｎｆｉｇには、同時に参照するＲｅｓｏｕｒｃｅＣｏｎｆｉｇのＩＤが含まれるので、通信端末は、ＭｅａｓＬｉｎｋＣｏｎｆｉｇに含まれるＲｅｓｏｕｒｃｅＣｏｎｆｉｇＩｄを取得する。図３に示す一例では、ＲｅｓｏｕｒｃｅＣｏｎｆｉｇＩｄ＝２が設定されているので、通信端末は、ＲｅｓｏｕｒｃｅＣｏｎｆｉｇＩｄが２のＣＳＩ−ＲＳリソース設定を同時に参照する。
【００４５】
通信端末は、上記のように特定したＲｅｐｏｒｔＣｏｎｆｉｇＩｄが３のＣＳＩ報告設定から報告設定情報を取得する。具体的には、通信端末は、報告設定タイプ（周期的、半永続的または非周期的)、報告スロットオフセット情報、報告対象情報、周波数粒度(ワイドバンドまたはサブバンド)、コードブック情報、報告ＣＱＩ数などを取得する。
【００４６】
また、通信端末は、参照しているＲｅｓｏｕｒｃｅＣｏｎｆｉｇＩｄが２のＣＳＩ−ＲＳリソース設定から、ＣＳＩ−ＲＳリソースセット、ＳＳ／ＰＢＣＨ−ｂｌｏｃｋリソース、リソースタイプ（周期的、半永続的または非周期的）などを取得する。上記のように、各情報は関連しているため、通信端末は、各情報の関係性を用いて、非周期的ＣＳＩ−ＲＳのＣＳＩ報告設定とＣＳＩ−ＲＳリソース設定を取得することが出来る。
【００４７】
＜ＣＳＩ−ＲＳリソースセット選択、ＣＳＩ−ＲＳリソース取得処理＞
次に、図４を用いて、ＣＳＩ報告設定およびＣＳＩ−ＲＳリソース設定取得後のＣＳＩ−ＲＳリソースセット選択、ＣＳＩ−ＲＳリソース取得処理について説明する。図４は、ＣＳＩ報告設定およびＣＳＩ−ＲＳリソース設定取得後のＣＳＩ−ＲＳリソースセット選択、ＣＳＩ−ＲＳリソース取得処理を説明する図である。なお、図４は、図３に示した一例によってＣＳＩ報告設定およびＣＳＩ−ＲＳリソース設定を取得したことを前提とする図である。
【００４８】
通信端末は、取得したＲｅｓｏｕｒｃｅＣｏｎｆｉｇｉｄが２であるＣＳＩ−ＲＳリソース設定（ResourceConfig）に含まれるＣＳＩ−ＲＳリソースセットの関連付けを示す情報（ResourceSets）を参照する。
【００４９】
そして、ＣＳＩ−ＲＳリソースセットが複数関連付けられている場合、通信端末は、参照したトリガステート（trigger state）に関連付けられたリソースセットビットマップ（ResourceSetBitmap）を取得する。当該ビットマップは、ＲｅｓｏｕｒｃｅＳｅｔｓに設定されたＣＳＩ−ＲＳリソースセットのうち、どのＣＳＩ−ＲＳリソースセットが有効であるかを示す情報である。そして、通信端末は、取得したリソースセットビットマップを用いて、ＣＳＩ−ＲＳリソースセットのうち、特定したＣＳＩ報告設定（ReportConfig）に関連付けられるＣＳＩ−ＲＳリソースセットを選択する。
【００５０】
図４に示す一例では、ＲｅｓｏｕｒｃｅＳｅｔｓには、ＲｅｓｏｕｒｃｅＳｅｔ  ０、ＲｅｓｏｕｒｃｅＳｅｔ  １およびＲｅｓｏｕｒｃｅＳｅｔ  ２が設定されている。また、通信端末が参照したｔｒｉｇｇｅｒ  ｓｔａｔｅ  ２に含まれるＲｅｓｏｕｒｃｅＳｅｔＢｉｔｍａｐ＝｛１０１｝となっている。ＲｅｓｏｕｒｃｅＳｅｔＢｉｔｍａｐ＝｛１０１｝であるので、ＲｅｓｏｕｒｃｅＳｅｔ  ０、ＲｅｓｏｕｒｃｅＳｅｔ  １およびＲｅｓｏｕｒｃｅＳｅｔ  ２のうち、ＲｅｓｏｕｒｃｅＳｅｔ  ０およびＲｅｓｏｕｒｃｅＳｅｔ  ２が有効であることを示している。そのため、通信端末は、ＲｅｓｏｕｒｃｅＳｅｔ  ０およびＲｅｓｏｕｒｃｅＳｅｔ  ２が有効であると判定し、ＲｅｓｏｕｒｃｅＳｅｔ  ０およびＲｅｓｏｕｒｃｅＳｅｔ  ２を選択する。
【００５１】
そして、通信端末は、ＣＳＩ−ＲＳリソースセットに関連付けられる非ゼロ電力ＣＳＩ−ＲＳリソース（NZP-CSI-RS-resource：Non-Zero-Power-CSI-RS-resource）を参照する。図４に示す一例では、通信端末は、ＲｅｓｏｕｒｃｅＳｅｔ  ０およびＲｅｓｏｕｒｃｅＳｅｔ  ２に含まれるＮＺＰ−ＣＳＩ−ＲＳ-ｒｅｓｏｕｒｃｅ  ０およびＮＺＰ−ＣＳＩ−ＲＳ-ｒｅｓｏｕｒｃｅ  ２を参照する。
【００５２】
通信端末は、参照したＣＳＩ−ＲＳリソースからＲＥ（Resource Element）へのマッピング情報、送信ポート数、周期やＣＳＩ−ＲＳスロットオフセット情報、ＣＤＭ（Code Division Multiplexing）情報などのＣＳＩ−ＲＳリソース情報を取得する。通信端末は、上記の様に取得したＣＳＩ−ＲＳリソース情報からＣＳＩ−ＲＳが送信され得るＲＥを特定し、当該ＲＥでＲＳＲＰを測定し、ＣＳＩ報告設定から取得した報告スロットオフセット情報に基づいたタイミングで測定結果を基地局へ報告する。
【００５３】
＜リファレンスＲＳ＞
続いて、図５を用いて、リファレンスＲＳについて説明する。図５は、リファレンスＲＳを説明する図である。図５に示すように、無線通信システム１００は、基地局３００と、通信端末２００〜２０３を備える。
【００５４】
受信ビームフォーミングをサポートする通信端末２００〜２０３は、送信ビームにマッチする受信ビームを形成することでゲインをさらに向上することが出来る。受信ビームフォーミングを行う場合、通信端末２００〜２０３は、送信信号の空間的特徴（例えば、指向性パターン）を基地局３００から通知されて取得する必要がある。
【００５５】
ＮＲでは、送信信号の空間的特徴は、当該送信信号との間で、空間的受信パラメータ（spatial Rx parameter）に対するＱＣＬ（Quasi Co-Location）（疑似的な地理関係が同一）が仮定可能であるＲＳを指定することにより通知される。
【００５６】
空間的受信パラメータは、例えば、信号の到来角（ＡＯＡ：Angle of Arrival）、発射角（ＡｏＤ：Angle of Departure）、または空間的相関である。アンテナポート間やＲＳ間において、空間的受信パラメータに対するＱＣＬが仮定可能というときは、空間的受信パラメータが長期的に同一と仮定できることを意味する。なお、以降の説明において、「空間的受信パラメータに対するＱＣＬが仮定可能である」ことを、「空間的にＱＣＬ」として記載することがある。
【００５７】
通信端末２００〜２０３は、空間的にＱＣＬな送信信号に対して同一の受信ビームを形成することで、同程度の受信ビームフォーミングゲインを期待できる。
【００５８】
ＣＳＩ−ＲＳのアンテナポートは、ＳＳ／ＰＢＣＨ−ｂｌｏｃｋまたは他のＣＳＩ−ＲＳと空間的にＱＣＬであることを設定可能である。ここで、特定のアンテナポートに対して空間的にＱＣＬであることを設定する際に基準とされるＲＳはリファレンスＲＳと呼ばれる。図５において、基地局３００から送信される送信ビームのうち、点線で記載されている送信ビームＢ１は、ＳＳ／ＰＢＣＨ−ｂｌｏｃｋ＃１をリファレンスＲＳの送信ビームであることを示している。また、基地局３００から送信される送信ビームのうち、実線で記載されている送信ビームＢ２は、ＳＳ／ＰＢＣＨ−ｂｌｏｃｋ＃１と空間的にＱＣＬなＣＳＩ−ＲＳの送信ビームを示している。すなわち、送信ビームＢ２は、ＳＳ／ＰＢＣＨ−ｂｌｏｃｋ＃１と擬似的な地理関係が同一な送信ビームであることを示している。
【００５９】
また、基地局３００は、各端末に対してＲＲＣメッセージにより、Ｍ（Ｍ：１以上の自然数）個のＴＣＩ（Transmission Configuration Indication）を設定する。１個のＴＣＩは、空間的にＱＣＬな１個のＲＳと対応する。当該ＲＳには、ＳＳ／ＰＢＣＨ−ｂｌｏｃｋ、周期的ＣＳＩ−ＲＳ、非周期的ＣＳＩ−ＲＳ、または半永続的ＣＳＩ−ＲＳが指定可能である。ＴＣＩは、特定のチャネルまたはＲＳと空間的にＱＣＬなＲＳを指定する場合に用いられる。
【００６０】
非周期的トリガステートには、非周期的ＣＳＩ−ＲＳリソースの各々と空間的にＱＣＬなＲＳを通知するためのＴＣＩのインデックスのリストがＱＣＬ情報（QCL Info）として設定され得る。
【００６１】
以下、本開示の実施の形態１の詳細を説明する。
＜無線通信システムの構成例＞
まず、図６を用いて、実施の形態１にかかる無線通信システム１０について説明する。図６は、実施の形態１にかかる無線通信システムの構成例を示す図である。
【００６２】
無線通信システム１０は、基地局２０と、通信端末３０＿１〜３０＿６と、を含む。なお、無線通信システム１０は、１つの基地局２０を含む構成であるが、当然ながら、基地局は２台以上を含む構成であってもよい。また、無線通信システム１０は、通信端末３０＿１〜３０＿６を含む構成であるが、１台以上の通信端末を含む構成であればよい。
【００６３】
送信ビームＢ３は、基地局２０から送信される送信ビームのうち、リファレンスＲＳの送信ビームである。また、送信ビームＢ４は、基地局２０から送信される送信ビームのうち、リファレンスＲＳと空間的にＱＣＬなＣＳＩ−ＲＳの送信ビームである。
【００６４】
基地局２０は、実施の形態の概要にかかる基地局１に対応する。基地局２０は、例えば、基地局、中継局（ＲＮ：Relay Node）、またはアクセスポイントであってもよい。基地局２０は、ＮＲ  ＮｏｄｅＢ（NR NB）またはｇＮｏｄｅＢ（gNB）であってもよい。もしくは、基地局２０は、ｅＮｏｄｅＢ（evolved Node BまたはeNB）であってもよい。基地局２０は、通信端末３０＿１〜３０＿６と通信可能な通信装置である。
【００６５】
通信端末３０＿１〜３０＿６は、例えば、移動局、ＵＥ（User Equipment）、またはＷＴＲＵ（Wireless Transmit/Receive Unit）であってもよい。通信端末３０＿１〜３０＿６は、基地局２０と通信可能な通信装置である。通信端末３０＿１〜３０＿６は、同じ構成を有していてもよい。通信端末３０＿１〜３０＿６の各々を区別しない場合、通信端末３０と総称して説明を行うことがある。
【００６６】
基地局２０は、通信端末３０＿１〜３０＿６に対してＣＳＩ報告の指示を行う。ＣＳＩ報告の指示は、共通サーチスペース（common search space）において送信されるＰＤＣＣＨにより送信されてもよい。もしくは、ＣＳＩ報告の指示は、通信端末３０＿１〜３０＿６のためのＤＣＩによりＰＤＣＣＨによって送信されてもよい。当該ＤＣＩに付与されるＣＲＣ（Cyclic Redundancy Check）は、通信端末３０＿１〜３０＿６に共通のＲＮＴＩ（Radio Network Temporary Identifier）によりスクランブル（秘匿化）されてもよい。ＲＮＴＩは、通信端末３０＿１〜３０＿６が属するグループに固有の情報として設定される識別子である。
【００６７】
なお、以降の説明においては、ＣＳＩ報告の指示は、通信端末３０＿１〜３０＿６のためのＤＣＩによりＰＤＣＣＨを用いて送信されるとして説明する。また、ＤＣＩに付与されるＣＲＣは、通信端末３０＿１〜３０＿６に共通するＲＮＴＩによりスクランブルされるとして説明する。
【００６８】
通信端末３０＿１〜３０＿６は、共通のＲＮＴＩが設定された通信端末の集合を示す通信端末群Ｇ１に属する通信端末である。
【００６９】
基地局２０は、通信端末３０＿１〜３０＿６の各々に、ＣＳＩ報告の指示に応じるか否かを判定させるための情報を送信する。通信端末３０＿１〜３０＿６の各々は、基地局２０から受信した情報に基づいて、ＣＳＩ報告の指示に応じるか否かを判定し、ＣＳＩ報告の指示に応じると判定すると、ＣＳＩ報告を実施する。換言すると、基地局２０は、通信端末３０＿１〜３０＿６の各々に、ＣＳＩ報告の指示に応じるか否かを判定させて、ＣＳＩ報告が必要な通信端末からＣＳＩ報告を受信する。
【００７０】
図６において、通信端末３０＿１〜３０＿４は、ＣＳＩ報告を行う通信端末であるとする。通信端末３０＿１〜３０＿４は、ＣＳＩ報告を行う通信端末の集合を示す通信端末群Ｇ２に属する通信端末である。
【００７１】
また、図６において、通信端末３０＿５および３０＿６は、ＣＳＩ報告を行わない通信端末であるとする。通信端末３０＿５および３０＿６は、ＣＳＩ報告を行わない通信端末の集合を示す通信端末群Ｇ３に属する通信端末である。
【００７２】
基地局２０は、通信端末群Ｇ１に属する通信端末に対して、共通のダウンリンク制御情報においてＣＳＩ報告の指示を行う。そして、基地局２０は、通信端末３０＿１〜３０＿６の各々に、ＣＳＩ報告の指示に応じるか否かを判定させて通信端末群Ｇ２およびＧ３に分類し、通信端末群Ｇ２に属する通信端末のみからＣＳＩ報告を行わせる。これにより、基地局２０は、通信端末３０＿１〜３０＿６に共通するＤＣＩを用いて、ＣＳＩ報告を指示する。そして、基地局２０は、ＣＳＩ報告が必要である通信端末のみからＣＳＩ報告を受信し、不要なＣＳＩ報告を低減する。
【００７３】
＜基地局の構成例＞
次に、図７を用いて、基地局２０の構成例について説明する。図７は、実施の形態１にかかる基地局の構成例を示す図である。基地局２０は、送信部２１と、受信部２２と、制御部２３と、を備える。
【００７４】
送信部２１は、実施の形態の概要にかかる送信部２に対応する。送信部２１は、通信端末３０＿１〜３０＿６にＣＳＩ報告を指示する第１の制御情報と、ＣＳＩ報告の指示に応じるか否かを通信端末３０＿１〜３０＿６の各々に判定させるための第２の制御情報と、を通信端末３０＿１〜３０＿６に送信する。また、送信部２１は、後述する制御部２３が決定した送信ビームを用いて、通信端末３０＿１〜３０＿６の各々とデータ通信を行う。
【００７５】
なお、第１の制御情報は、ＣＳＩ報告を指示する情報であるので、以降の説明において、「第１の制御情報」を「ＣＳＩ報告の指示情報」または単に「指示情報」と称して記載することがある。また、第２の制御情報は、ＣＳＩ−ＲＳ測定およびＣＳＩ報告の指示に応じるか否かを判定させるための情報であるので、以降の説明において、「第２の制御情報」を「ＣＳＩ報告の判定情報」または単に「判定情報」と称して記載することがある。
【００７６】
指示情報は、ＣＳＩ−ＲＳ測定およびＣＳＩ報告を指示する情報である。具体的には、指示情報は、ＣＳＩ−ＲＳ測定およびＣＳＩ報告をトリガするトリガ情報（CSI request）、トリガステート（ReportTrigger）、ＣＳＩ報告設定（ReportConfig）を含む。また、指示情報は、ＣＳＩ−ＲＳリソース設定（ResourceConfig）および結合情報（MeasLinkConfig）を含む。指示情報は、ＣＳＩ−ＲＳリソースセット、および、ＣＳＩ−ＲＳリソースと関連付けられるトリガのインデックスが含まれていてもよい。指示情報には、上記情報のうち、全ての情報が含まれていてもよいし、一部の情報のみが含まれていてもよい。また、ＣＳＩ報告設定には、ＣＳＩ報告を送信するためのアップリンク無線リソースとしてＰＵＣＣＨ（Physical Uplink Control Channel）およびＰＵＳＣＨ（Physical Uplink Shared Channel）の少なくとも一方に関するリソース設定が含まれていてもよい。
【００７７】
なお、ＣＳＩ報告設定は、ＲｅｐｏｒｔＣｏｎｆｉｇとして記載をするが、ＣＳＩ−ＲｅｐｏｒｔＣｏｎｆｉｇであってもよい。また、ＣＳＩ−ＲＳリソース設定は、ＲｅｓｏｕｒｃｅＣｏｎｆｉｇとして記載をするが、ＣＳＩ−ＲｅｓｏｕｒｃｅＣｏｎｆｉｇであってもよい。
【００７８】
指示情報は、ＣＳＩ報告をトリガする候補となる複数のトリガ情報を含む。上記のように、トリガ情報は、ＣＳＩ  ｒｅｑｕｅｓｔである。つまり、本実施の形態では、指示情報は、候補となる複数のＣＳＩ  ｒｅｑｕｅｓｔを含んで構成される。複数のＣＳＩ  ｒｅｑｕｅｓｔは、通信端末３０＿１〜３０＿６に送信されるが、基地局２０は、通信端末３０＿１〜３０＿６のそれぞれに対して各ＣＳＩ  ｒｅｑｕｅｓｔの値を動的に指定する。
【００７９】
指示情報は、通信端末３０＿１〜３０＿６のためのＤＣＩにより送信される。指示情報を送信するためのＤＣＩ  ｆｏｒｍａｔは、他のＤＣＩ  ｆｏｒｍａｔと同一のサイズを有していてもよい。この場合、ＤＣＩ  ｆｏｒｍａｔの識別は、ＣＲＣに対するスクランブリングにより行われるため、デコード試行の回数を低減することが可能である。
【００８０】
判定情報は、ＣＳＩ−ＲＳ測定およびＣＳＩ報告の指示に応じるか否かを通信端末３０＿１〜３０＿６の各々に判定させるための情報である。判定情報は、通信端末毎に異なる値が設定される。具体的には、判定情報は、指示情報に含まれる複数のＣＳＩ  ｒｅｑｕｅｓｔのいずれかを指定するためのインデックス情報である。判定情報は、通信端末３０＿１〜３０＿６の各々で異なる値が設定される。なお、以降の説明において、「インデックス情報」を「ＣＳＩ  ｒｅｑｕｅｓｔ  ｉｎｄｅｘ」と称して記載することがある。
【００８１】
送信部２１は、上記指示情報に含まれる複数のＣＳＩ  ｒｅｑｕｅｓｔと、判定情報であるインデックス情報と、を用いて、通信端末３０＿１〜３０＿６の各々にＣＳＩ報告の指示に応じるか否かを判定させる。インデックス情報は、ＲＲＣメッセージを用いて基地局２０から通信端末３０＿１〜３０＿６に送信されてもよい。もしくは、インデックス情報は、ＭＡＣコントロールエレメント（ＭＡＣ  ＣＥ：Medium Access Control Control Element）を用いて、基地局２０から通信端末３０＿１〜３０＿６に送信されてもよい。ＭＡＣ  ＣＥは、ＭＡＣレイヤにおいて、通信端末の制御を行うことが可能である情報である。
【００８２】
ここで、図８を用いて、指示情報に含まれる複数のＣＳＩ  ｒｅｑｕｅｓｔと判定情報の関係を説明する。図８は、実施の形態１にかかる指示情報と判定情報の関係を説明する図である。
【００８３】
図８に示すように、指示情報は、複数のトリガ情報を含み、複数のトリガ情報は、ＣＳＩ  ｒｅｑｕｅｓｔフィールドが連結されて構成される。具体的には、複数のトリガ情報は、Ｎ個のＣＳＩ  ｒｅｑｕｅｓｔフィールドが、ＣＳＩ  ｒｅｑｕｅｓｔ  １、ＣＳＩ  ｒｅｑｕｅｓｔ  ２、・・・、ＣＳＩ  ｒｅｑｕｅｓｔ  Ｎ（Ｎ：２以上の自然数）の順に連結して構成される。複数のＣＳＩ  ｒｅｑｕｅｓｔの各々には、通信端末３０＿１〜３０＿６のそれぞれが参照する、ＣＳＩ  ｒｅｑｕｅｓｔに対応付けられたトリガステートを指定する値（情報）が設定される。例えば、ＣＳＩ  ｒｅｑｕｅｓｔの値が１であれば、１番目のトリガステートが対応するトリガステートである。また、ＣＳＩ  ｒｅｑｕｅｓｔに設定可能な値のうち、少なくとも一つ（例えば、０（ゼロ）など）はＣＳＩ  ｒｅｑｕｅｓｔが無効であることを示す。なお、以降の説明において、ＣＳＩ  ｒｅｑｕｅｓｔの値が０（ゼロ）である場合、当該ＣＳＩ  ｒｅｑｕｅｓｔは無効であるとして説明を行うが、ＣＳＩ  ｒｅｑｕｅｓｔが無効であることを示す値は、当然ながら０（ゼロ）ではなく、他の値でもよい。
【００８４】
判定情報は、複数のＣＳＩ  ｒｅｑｕｅｓｔのうちのいずれかを指定するインデックス情報であって、ＣＳＩ  ｒｅｑｕｅｓｔ  ｉｎｄｅｘである。図８に示すように、送信部２１がＣＳＩ  ｒｅｑｕｅｓｔ  ｉｎｄｅｘを２で設定した場合、当該ＣＳＩ  ｒｅｑｕｅｓ  ｉｎｄｅｘを受信した通信端末は、ＣＳＩ  ｒｅｑｕｅｓｔ  ２に設定された値を取得する。
【００８５】
送信部２１は、ＣＳＩ報告を行わせる通信端末に対して、ＣＳＩ  ｒｅｑｕｅｓｔ  ｉｎｄｅｘにより指定されたＣＳＩ  ｒｅｑｕｅｓｔの値を０（ゼロ）以外の値に設定する。図６に示した一例を用いると、送信部２１は、通信端末３０＿１〜３０＿４に対して、設定したＣＳＩ  ｒｅｑｕｅｓｔ  ｉｎｄｅｘが指定するＣＳＩ  ｒｅｑｕｅｓｔの値を０（ゼロ）以外の値に設定する。
【００８６】
一方、送信部２１は、ＣＳＩ報告を行わせない通信端末に対して、ＣＳＩ  ｒｅｑｕｅｓｔ  ｉｎｄｅｘにより指定されたＣＳＩ  ｒｅｑｕｅｓｔの値を０（ゼロ）に設定する。図６に示した一例を用いると、送信部２１は、通信端末３０＿５および３０＿６に対して、設定したＣＳＩ  ｒｅｑｕｅｓｔ  ｉｎｄｅｘが指定するＣＳＩ  ｒｅｑｕｅｓｔの値を０（ゼロ）に設定する。
【００８７】
送信部２１は、通信端末３０＿１〜３０＿６の各々に対して、異なるＣＳＩ  ｒｅｑｕｅｓｔ  ｉｎｄｅｘを指定すると共に、ＣＳＩ  ｒｅｑｕｅｓｔ  ｉｎｄｅｘが指定するＣＳＩ  ｒｅｑｕｅｓｔの値を制御し、ＣＳＩ報告を行わせるか否かを制御する。
【００８８】
図７に戻り、受信部２２について説明する。受信部２２は、通信端末３０＿１〜３０＿６のうち、ＣＳＩ報告を送信する通信端末からＣＳＩ報告を受信する。受信部２２は、ＣＳＩ報告の指示に応じないと判定させる通信端末からＣＳＩ報告が送信された場合、当該ＣＳＩ報告を無視してもよい。もしくは、受信部２２は、ＣＳＩ報告の指示に応じないと判定させる通信端末からＣＳＩ報告が送信された場合、当該ＣＳＩ報告を破棄してもよい。
【００８９】
制御部２３は、受信したＣＳＩ報告に基づいて、ＣＳＩ報告の受信元の通信端末に対して最適な送信ビームの指向性を決定する。
【００９０】
＜通信端末の構成例＞
続いて、図９を用いて、通信端末３０の構成例について説明する。図９は、実施の形態１にかかる通信端末の構成例を示す図である。通信端末３０は、受信部３１と、判定部３２と、送信部３３と、を備える。
【００９１】
受信部３１は、ＣＳＩ報告を指示する指示情報と、ＣＳＩ報告の指示に応じるか否かを判定するための判定情報と、を基地局２０から受信する。また、受信部３１は、基地局２０の送信部２１が送信するデータを受信する。
【００９２】
上述したように、指示情報は、ＣＳＩ報告を指示する候補となる情報を示す複数のトリガ情報を含む。トリガ情報は、ＣＳＩ  ｒｅｑｕｅｓｔであるので、指示情報は、複数のＣＳＩ  ｒｅｑｕｅｓｔを含んで構成される。また、判定情報は、複数のＣＳＩ  ｒｅｑｕｅｓｔのいずれかを指定するインデックス情報であり、ＣＳＩ  ｒｅｑｕｅｓｔ  ｉｎｄｅｘである。
【００９３】
判定部３２は、ＣＳＩ  ｒｅｑｕｅｓｔ  ｉｎｄｅｘが指定するＣＳＩ  ｒｅｑｕｅｓｔに基づいて、基地局２０から送信されたＣＳＩ報告の指示に応じるか否かを判定する。具体的には、判定部３２は、ＣＳＩ  ｒｅｑｕｅｓｔ  ｉｎｄｅｘが指定したＣＳＩ  ｒｅｑｕｅｓｔの値が０（ゼロ）である場合、ＣＳＩ報告の指示に応じないと判定する。つまり、判定部３２は、ＣＳＩ  ｒｅｑｕｅｓｔ  ｉｎｄｅｘが指定したＣＳＩ  ｒｅｑｕｅｓｔの値が無効である場合、ＣＳＩ報告の指示に応じないと判定する。
【００９４】
一方、判定部３２は、ＣＳＩ  ｒｅｑｕｅｓｔ  ｉｎｄｅｘが指定したＣＳＩ  ｒｅｑｕｅｓｔの値が０（ゼロ）ではない値である場合、ＣＳＩ報告の指示に応じると判定する。つまり、判定部３２は、ＣＳＩ  ｒｅｑｕｅｓｔ  ｉｎｄｅｘが指定したＣＳＩ  ｒｅｑｕｅｓｔの値が有効である場合、ＣＳＩ報告を行うと判定する。
【００９５】
判定部３２は、ＣＳＩ報告の指示に応じると判定した場合、ＣＳＩ  ｒｅｑｕｅｓｔ  ｉｎｄｅｘが指定したＣＳＩ  ｒｅｑｕｅｓｔに関連付けられたＣＳＩ−ＲＳのＲＳＲＰの測定を行う。具体的には、判定部３２は、ＣＳＩ  ｒｅｑｕｅｓｔ  ｉｎｄｅｘが指定したＣＳＩ  ｒｅｑｕｅｓｔに対応するトリガステートに基づいて、ＣＳＩ報告設定と、当該ＣＳＩ報告設定と結合状態のＣＳＩ−ＲＳリソース設定を特定する。そして、判定部３２は、特定したＣＳＩ−ＲＳリソース設定に基づいてＣＳＩ−ＲＳが送信され得るＲＥを特定し、当該ＲＥでＲＳＲＰを測定する。なお、判定部３２は、ＣＳＩ報告の指示に応じないと判定する場合、ＣＳＩ−ＲＳに対する測定を行わない。
【００９６】
送信部３３は、判定部３２がＣＳＩ報告の指示に応じると判定した場合、基地局２０から受信した指示情報に基づくＣＳＩ報告を基地局２０に送信する。送信部３３は、判定部３２がＣＳＩ報告の指示に応じると判定した場合、ＣＳＩ  ｒｅｑｕｅｓｔ  ｉｎｄｅｘにより指定したＣＳＩ  ｒｅｑｕｅｓｔに基づくＣＳＩ報告を基地局２０に送信するとも言える。具体的には、送信部３３は、ＣＳＩ  ｒｅｑｕｅｓｔ  ｉｎｄｅｘが指定したＣＳＩ  ｒｅｑｕｅｓｔに関連付けられたＣＳＩ−ＲＳに対して判定部３２が測定したＲＳＲＰの測定結果をＣＳＩ報告に含めて基地局２０に送信する。なお、送信部３３は、判定部３２がＣＳＩ報告の指示に応じないと判定する場合、ＣＳＩ報告を基地局２０に送信しない。
【００９７】
＜無線通信システムの動作例＞
続いて、図１０を用いて、実施の形態１にかかる無線通信システム１０の動作例について説明する。図１０は、実施の形態１にかかる無線通信システムの動作例を説明する図である。
【００９８】
まず、基地局２０は、ＣＳＩ報告の指示を通信端末３０に行う（ステップＳ１）。具体的には、送信部２１は、複数のＣＳＩ  ｒｅｑｕｅｓｔを含む指示情報と、ＣＳＩ  ｒｅｑｕｅｓｔ  ｉｎｄｅｘを示す判定情報と、を通信端末３０に送信する。この際、送信部２１は、複数の通信端末３０（通信端末３０＿１〜３０＿６）に共通のＲＮＴＩを設定し、複数の通信端末３０（通信端末３０＿１〜３０＿６）の各々が参照するＣＳＩ  ｒｅｑｕｅｓｔ  ｉｎｄｅｘを設定して通信端末３０に送信する。
【００９９】
次に、通信端末３０は、ＣＳＩ報告の指示を基地局２０から受信し（ステップＳ２）、ＣＳＩ報告の指示に応じるか否かを判定する（ステップＳ３）。具体的には、受信部３１が、ＣＳＩ報告の指示を基地局２０から受信すると、判定部３２が、共通のＲＮＴＩによってスクランブルされたＤＣＩ  ｆｏｒｍａｔをデコードする。そして、判定部３２は、ＣＳＩ  ｒｅｑｕｅｓｔ  ｉｎｄｅｘが指定したＣＳＩ  ｒｅｑｕｅｓｔの値が０（ゼロ）である場合、ＣＳＩ報告の指示に応じないと判定する。一方、判定部３２は、ＣＳＩ  ｒｅｑｕｅｓｔ  ｉｎｄｅｘが指定したＣＳＩ  ｒｅｑｕｅｓｔが０（ゼロ）では無い場合、ＣＳＩ報告の指示に応じると判定する。
【０１００】
ステップＳ３において、通信端末３０がＣＳＩ報告の指示に応じると判定する場合（ステップＳ３のＹＥＳ）、通信端末３０は、ＣＳＩ報告を基地局２０に送信する（ステップＳ４）。具体的には、判定部３２は、ＤＣＩ上の連結された、複数のＣＳＩ  ｒｅｑｕｅｓｔからＣＳＩ  ｒｅｑｕｅｓｔ  ｉｎｄｅｘにより指定されたＣＳＩ  ｒｅｑｕｅｓｔを取得する。そして、判定部３２は、取得したＣＳＩ  ｒｅｑｕｅｓｔによって指定されるトリガステートに基づいて、ＣＳＩ報告設定と、当該ＣＳＩ報告設定と結合状態のＣＳＩ−ＲＳリソース設定を特定する。判定部３２は、ＣＳＩ−ＲＳリソース設定を特定した端末はＣＳＩ−ＲＳリソース設定に基づいてＣＳＩ−ＲＳが送信され得るＲＥを特定し、当該ＲＥでＲＳＲＰを測定する。そして、送信部３３は、判定部３２が測定した測定結果をＣＳＩ報告に含めて基地局２０に送信する。
【０１０１】
一方、ステップＳ３において、通信端末３０がＣＳＩ報告の指示に応じないと判定する場合（ステップＳ３のＮＯ）、通信端末３０は、ＣＳＩ―ＲＳのＲＳＲＰの測定およびＣＳＩ報告を実施しない。具体的には、判定部３２は、ＣＳＩ報告に応じないと判定する場合、ＣＳＩ−ＲＳのＲＳＲＰの測定を行わず、送信部３３は、ＣＳＩ報告を基地局２０に送信しない。
【０１０２】
基地局２０は、通信端末３０からＣＳＩ報告を受信すると（ステップＳ５）、ＣＳＩ報告に基づいて、通信端末３０の送信ビームを決定する（ステップＳ６）。図１０には図示しないが、基地局２０は、通信端末３０に送信するデータがある場合、決定した送信ビームを用いて、通信端末３０にデータを送信する。
【０１０３】
以上、説明したように、実施の形態１にかかる基地局２０は、複数のＣＳＩ  ｒｅｑｕｅｓｔを含む指示情報と、複数のＣＳＩ  ｒｅｑｕｅｓｔのいずれかを指定させるインデックス情報を示す判定情報と、を通信端末３０に送信する。そして、通信端末３０は、ＣＳＩ  ｒｅｑｕｅｓｔ  ｉｎｄｅｘが指定したＣＳＩ  ｒｅｑｕｅｓｔに基づいて、ＣＳＩ報告の指示に応じるか否かを判定する。これにより、基地局２０は、ＣＳＩ報告が必要な通信端末にはＣＳＩ報告を行わせ、ＣＳＩ報告が必要では無い通信端末にはＣＳＩ報告を行わせない。したがって、本実施の形態によれば、不要なＣＳＩ報告を低減することが出来る。
【０１０４】
また、上述したように、本実施の形態によれば、不要なＣＳＩ報告を低減することが出来る。したがって、アップリンクの無線リソースの消費を抑制することが可能となり、他の無線リンクへの干渉を抑制することが可能となる。
【０１０５】
さらに、本実施の形態では、基地局２０は、通信端末３０に対して、複数のＣＳＩ  ｒｅｑｕｅｓｔを送信することが出来るので、通信端末毎にどのＣＳＩ  ｒｅｑｕｅｓｔを使用するかを設定することが出来る。換言すると、基地局２０は、各通信端末に対して、個別のＣＳＩ  ｒｅｑｕｅｓｔ  ｉｎｄｅｘを設定することを可能とし、さらに、各ＣＳＩ  ｒｅｑｕｅｓｔの値を制御することにより柔軟な設定を行うことが可能となる。そのため、本実施の形態によれば、トリガステート設定時に制限を設けずに、各通信端末３０に対してＣＳＩ報告の指示を行うことが可能となる。
【０１０６】
（実施の形態２）
続いて、実施の形態２について説明する。実施の形態２は、実施の形態１におけるＣＳＩ報告の指示情報およびＣＳＩ報告の判定情報が異なる。
【０１０７】
実施の形態２においても、図６で示したように、基地局２０は、通信端末群Ｇ１に属する通信端末に対して、共通のダウンリンク制御情報においてＣＳＩ報告の指示を行う。そして、基地局２０は、通信端末３０＿１〜３０＿６の各々に、ＣＳＩ報告の指示に応じるか否かを判定させて通信端末群Ｇ２およびＧ３に分類し、通信端末群Ｇ２に属する通信端末のみからＣＳＩ報告を行わせる。これにより、基地局２０は、通信端末３０＿１〜３０＿６に共通するＤＣＩを用いて、ＣＳＩ報告を指示する。そして、基地局２０は、ＣＳＩ報告が必要である通信端末のみからＣＳＩ報告を受信し、不要なＣＳＩ報告を低減する。
【０１０８】
実施の形態２の基地局および通信端末の基本構成は、実施の形態１と同様であるので、図７および図９を参照して説明する。以下では、実施の形態１と異なる点について説明する。
【０１０９】
＜基地局の構成例＞
図７を参照して、実施の形態２にかかる基地局２０の構成例について説明する。実施の形態２にかかる基地局２０は、送信部２１の構成が異なる。本実施の形態においても、送信部２１は、通信端末３０＿１〜３０＿６にＣＳＩ報告を指示するＣＳＩ報告の指示情報と、ＣＳＩ報告の指示に応じるか否かを判定させる判定情報と、を通信端末３０＿１〜３０＿６に送信する。なお、指示情報は、実施の形態１における第１の制御情報であり、判定情報は、実施の形態１における第２の制御情報である。
【０１１０】
まず、本実施の形態においても、指示情報は、ＣＳＩ−ＲＳ測定およびＣＳＩ報告をトリガするトリガ情報（CSI request）、トリガステート（ReportTrigger）、ＣＳＩ報告設定（ReportConfig）を含む。また、指示情報は、ＣＳＩ−ＲＳリソース設定（ResourceConfig）および結合情報（MeasLinkConfig）を含む。
【０１１１】
実施の形態１においては、指示情報は、候補となる複数のトリガ情報（CSI Request）を含む構成であった。本実施の形態では、指示情報は、通信端末３０＿１〜３０＿６に対して共通のトリガ情報（CSI request）を含む。すなわち、本実施の形態では、指示情報に用いられるトリガ情報は、単一のトリガ情報であって、通信端末３０＿１〜３０＿６に共通するトリガ情報である。また、指示情報は、通信端末３０＿１〜３０＿６に共通するトリガ情報に関連付けられたＣＳＩ報告の設定情報であるＣＳＩ報告設定（ReportConfig）を含む。
【０１１２】
また、実施の形態１においては、判定情報は、複数のトリガ情報のうちのいずれかを指定するインデックス情報であった。本実施の形態では、判定情報は、トリガ情報から特定されるＣＳＩ報告設定（ReportConfig）が有効であるのか否かを示す情報である。
【０１１３】
具体的には、本実施の形態では、判定情報は、ＭＡＣ  ＣＥを用いて、トリガ情報から特定されるＣＳＩ報告設定（ReportConfig）が有効であるのか否かが設定される。そして、送信部２１は、ＭＡＣ  ＣＥにより設定した情報を用いて、ＣＳＩ報告の指示に応じるか否かを通信端末３０＿１〜３０＿６の各々に判定させる。
【０１１４】
ここで、図１１を参照して、本実施の形態にかかる指示情報および判定情報の関係を説明する。図１１は、実施の形態２にかかる指示情報および判定情報の関係を説明する図である。
【０１１５】
図１１に示すように、指示情報は、単一のトリガ情報（CSI request）を含み、トリガ情報は、通信端末３０＿１〜３０＿６で共通する。また、指示情報は、トリガ情報に関連付けられたＣＳＩ報告設定（ReportConfig）を含む。具体的には、トリガ情報に関連付けられたＣＳＩ報告設定は、トリガ情報に対応するトリガステート（trigger state）から特定されるＣＳＩ報告設定である。なお、トリガ情報は通信端末３０＿１〜３０＿６に共通するが、トリガステートおよびＣＳＩ報告設定は通信端末３０＿１〜３０＿６に対して共通では無く、各通信端末に個別に設定される。
【０１１６】
判定情報は、トリガ情報に関連付けられたＣＳＩ報告設定が有効（activation）であるか無効（deactivation）であるかを示す情報である。判定情報は、ＭＡＣ  ＣＥを用いて、共通のトリガ情報により特定されるＣＳＩ報告設定に対して、有効であるか否かが設定される情報である。
【０１１７】
送信部２１は、ＭＡＣ  ＣＥを用いて、ＣＳＩ報告を行わせる通信端末３０には、トリガ情報から特定されるＣＳＩ設定報告に対して有効を設定し、当該通信端末３０に対してＣＳＩ報告を実施させる。一方、送信部２１は、ＭＡＣ  ＣＥを用いて、ＣＳＩ報告を行わせない通信端末３０には、トリガ情報から特定されるＣＳＩ設定報告に対して無効を設定し、当該通信端末３０に対してＣＳＩ報告に応じないと判定させる。図６に示した一例を用いると、送信部２１は、通信端末３０＿１〜３０＿４に対して、ＭＡＣ  ＣＥを用いて、トリガ情報から特定されるＣＳＩ報告設定に対して有効を設定する。また、送信部２１は、通信端末３０＿５および３０＿６に対して、ＭＡＣ  ＣＥを用いて、トリガ情報から特定されるＣＳＩ報告設定に対して無効を設定する。
【０１１８】
＜通信端末の構成例＞
次に、図９を参照して、通信端末３０の構成例について説明する。本実施の形態では、判定部３２の構成が異なる。なお、上記の様に、指示情報および判定情報は、実施の形態１と異なるが、受信部３１は、実施の形態１と同様に、ＣＳＩ報告の指示情報と、ＣＳＩ報告の指示に応じるか否かの判定情報と、を基地局２０から受信する。
【０１１９】
判定部３２は、指示情報および判定情報を受信すると、基地局２０が設定したＲＮＴＩによってスクランブルされたＤＣＩ  ｆｏｒｍａｔをデコードする。そして、判定部３２は、デコードしたＣＳＩ  ｒｅｑｕｅｓｔにより特定されたＣＳＩ報告設定と、受信した判定情報とに基づいて、ＣＳＩ報告の指示に応じるか否かを判定する。
【０１２０】
具体的には、判定部３２は、特定したＣＳＩ報告設定が有効であるか否かをＭＡＣ  ＣＥを参照して判定する。特定したＣＳＩ報告設定が有効である場合、判定部３２は、ＣＳＩ報告設定と結合状態のＣＳＩ−ＲＳリソース設定を特定し、ＣＳＩ−ＲＳリソース設定からＣＳＩ−ＲＳが送信され得るＲＥを特定する。そして、判定部３２は、当該ＲＥでＲＳＲＰを測定する。一方、特定したＣＳＩ報告設定が無効である場合、判定部３２は、ＣＳＩ報告の指示に応じないと判定し、ＣＳＩ−ＲＳの測定を行わない。
【０１２１】
＜無線通信システムの動作例＞
続いて、実施の形態２における無線通信システムの動作例について説明する。実施の形態２にかかる無線通信システムの動作例は、基本的には実施の形態１と同様である。そのため、図１０を用いて、実施の形態２にかかる無線通信システムの動作例を説明する。また、実施の形態２にかかる無線通信システムの動作例のうち、実施の形態１と同様である動作については説明を割愛する。
【０１２２】
まず、基地局２０は、ＣＳＩ報告の指示を通信端末３０に行う（ステップＳ１）。具体的には、送信部２１は、指示情報と、判定情報とを通信端末３０に送信する。上述したように、指示情報は、単一のトリガ情報を含み、通信端末３０に共通のトリガ情報である。また、指示情報は、トリガ情報に関連付けられたＣＳＩ報告設定を含む。判定情報は、トリガ情報に関連付けられたＣＳＩ報告設定が有効であるか否かを示す情報がＭＡＣ  ＣＥにより設定されている。さらに、送信部２１は、複数の通信端末３０に共通のＲＮＴＩを設定する。
【０１２３】
次に、通信端末３０は、ＣＳＩ報告の指示を基地局２０から受信し（ステップＳ２）、ＣＳＩ報告の指示に応じるか否かを判定する（ステップＳ３）。具体的には、受信部３１が、ＣＳＩ報告の指示を基地局２０から受信すると、判定部３２が、共通のＲＮＴＩによってスクランブルされたＤＣＩ  ｆｏｒｍａｔをデコードする。そして、判定部３２は、ＣＳＩ  ｒｅｑｕｅｓｔからトリガステートを参照し、参照したトリガステートに含まれるＣＳＩ設定報告のＩＤからＣＳＩ報告設定を特定する。判定部３２は、特定したＣＳＩ報告設定が有効であるか無効であるのかを、判定情報として受信したＭＡＣ  ＣＥを用いて判定する。判定部３２は、トリガ情報であるＣＳＩ  ｒｅｑｕｅｓｔから特定されたＣＳＩ報告設定が有効である場合、ＣＳＩ報告に応じると判定する。一方、判定部３２は、トリガ情報であるＣＳＩ  ｒｅｑｕｅｓｔから特定されたＣＳＩ報告設定が無効である場合、ＣＳＩ報告に応じないと判定する。
【０１２４】
ステップＳ３において、通信端末３０がＣＳＩ報告の指示に応じると判定する場合（ステップＳ３のＹＥＳ）、通信端末３０は、ＣＳＩ報告を基地局２０に送信する（ステップＳ４）。具体的には、ステップＳ４において、判定部３２が、ＣＳＩ報告に応じると判定すると、判定部３２は、ＣＳＩ報告設定と結合状態のＣＳＩ−ＲＳリソース設定を特定し、ＣＳＩ−ＲＳリソース設定からＣＳＩ−ＲＳが送信され得るＲＥを特定する。そして、判定部３２は、当該ＲＥでＣＳＩ−ＲＳのＲＳＲＰを測定する。
【０１２５】
一方、ステップＳ３において、通信端末３０がＣＳＩ報告の指示に応じないと判定する場合（ステップＳ３のＮＯ）、通信端末３０は、ＣＳＩ―ＲＳのＲＳＲＰの測定およびＣＳＩ報告を実施しない。具体的には、判定部３２は、特定したＣＳＩ報告設定が無効である場合、ＣＳＩ報告の指示に応じないと判定し、ＣＳＩ−ＲＳの測定を行わない。
ステップＳ５以降は、実施の形態１と同様であるので、説明を割愛する。
【０１２６】
以上説明したように、本実施の形態においても、基地局２０は、指示情報と、判定情報と、を通信端末３０に送信する。指示情報は、複数の通信端末３０に共通するトリガ情報と、トリガ情報から特定されるＣＳＩ報告設定と、を含む。また、判定情報は、上記トリガ情報から特定されるＣＳＩ報告設定が有効であるか否かを示す情報であり、ＭＡＣ  ＣＥを用いて設定される。そして、通信端末３０は、ＭＡＣ  ＣＥを用いて、ＣＳＩ報告の指示に応じるか否かを判定する。これにより、基地局２０は、ＣＳＩ報告が必要な通信端末にはＣＳＩ報告を行わせ、ＣＳＩ報告が必要では無い通信端末にはＣＳＩ報告を行わせない。したがって、本実施の形態によれば、不要なＣＳＩ報告を低減することが出来る。
【０１２７】
また、上述したように、本実施の形態によれば、不要なＣＳＩ報告を低減することが出来る。したがって、アップリンクの無線リソースの消費を抑制することが可能となり、他の無線リンクへの干渉を抑制することが可能となる。
【０１２８】
また、実施の形態２では、複数の通信端末３０に対して共通するトリガ情報を用いることから、実施の形態１と比較して、指示情報のビット数が少なくて済む。換言すると、実施の形態２では、実施の形態１よりもＤＣＩのビット数が少なくなる。したがって、実施の形態２によれば、実施の形態１よりも制御情報のオーバヘッドを抑制することが可能となる。
【０１２９】
（実施の形態３）
続いて、実施の形態３について説明する。実施の形態３は、実施の形態１および実施の形態２と指示情報および判定情報が異なる。
【０１３０】
実施の形態３においても、図６で示したように、基地局２０は、通信端末群Ｇ１に属する通信端末に対して、共通のダウンリンク制御情報においてＣＳＩ報告の指示を行う。そして、基地局２０は、通信端末３０＿１〜３０＿６の各々に、ＣＳＩ報告の指示に応じるか否かを判定させて通信端末群Ｇ２およびＧ３に分類し、通信端末群Ｇ２に属する通信端末のみからＣＳＩ報告を行わせる。これにより、基地局２０は、通信端末３０＿１〜３０＿６に共通するＤＣＩを用いて、ＣＳＩ報告を指示する。そして、基地局２０は、ＣＳＩ報告が必要である通信端末のみからＣＳＩ報告を受信し、不要なＣＳＩ報告を低減する。
【０１３１】
実施の形態３の基地局の基本構成は、実施の形態１および２と同様であるので、図７を参照して説明する。以下では、実施の形態１と異なる点について説明する。
【０１３２】
＜基地局の構成例＞
図７を参照して、実施の形態３にかかる基地局２０の構成例について説明する。実施の形態３にかかる基地局２０は、送信部２１の構成が異なる。本実施の形態においても、送信部２１は、指示情報および判定情報を通信端末３０＿１〜３０＿６に送信する。なお、指示情報は、実施の形態１および２における第１の制御情報であり、判定情報は、実施の形態１および２における第２の制御情報である。
【０１３３】
まず、本実施の形態においても、指示情報は、ＣＳＩ−ＲＳ測定およびＣＳＩ報告をトリガするトリガ情報（CSI request）、トリガステート（ReportTrigger）、ＣＳＩ報告設定（ReportConfig）を含む。また、指示情報は、ＣＳＩ−ＲＳリソース設定（ResourceConfig）および結合情報（MeasLinkConfig）を含む。
【０１３４】
本実施の形態においても、実施の形態２と同様に、指示情報は、通信端末３０＿１〜３０＿６に対して共通のトリガ情報（CSI request）を含む。また、本実施の形態では、指示情報として、上記トリガ情報に関連付けられたトリガステート（trigger state）に含まれるＱＣＬ情報（QCL Info）に含まれるＴＣＩを用いる。ＴＣＩは、ＣＳＩ報告に用いられる基準参照信号（リファレンスＲＳ）を識別する識別情報である。リファレンスＲＳは、ＣＳＩ−ＲＳまたはＳＳ／ＰＢＣＨ−ｂｌｏｃｋである。なお、トリガ情報は通信端末３０＿１〜３０＿６に共通するが、トリガステートは通信端末３０＿１〜３０＿６に対して共通では無く、各通信端末に個別に設定される。つまり、トリガステートに含まれるＴＣＩは、各端末に個別に設定される。
【０１３５】
また、本実施の形態では、判定情報は、ＣＳＩ報告の指示に応じるか否かを判定する際に用いる閾値を含む。当該閾値は、ＲＲＣメッセージにより設定されてもよく、ＭＡＣ  ＣＥにより設定されてもよい。
【０１３６】
送信部２１は、指示情報に含まれるトリガ情報に関連付けられたＴＣＩにより識別されるリファレンスＲＳの測定結果の履歴に含まれる測定結果と、判定情報に含まれる閾値とを通信端末３０＿１〜３０＿６に比較させる。そして、送信部２１は、比較結果に基づいて、通信端末３０＿１〜３０＿６にＣＳＩ報告の指示に応じるか否かを判定させる。ＣＳＩ報告の実施判定処理については後述する。
【０１３７】
＜通信端末の構成例＞
次に、図１２を参照して、通信端末３０の構成例について説明する。図１２は、実施の形態３にかかる通信端末の構成例を示す図である。本実施の形態では、実施の形態１および２と比較して、記憶部３４をさらに備え、判定部３２の構成が異なる。なお、上記の様に、指示情報および判定情報が、実施の形態１および２と異なるが、受信部３１は、指示情報および判定情報を基地局２０から受信する。
【０１３８】
判定部３２は、指示情報および判定情報を受信すると、基地局２０が設定したＲＮＴＩによってスクランブルされたＤＣＩ  ｆｏｒｍａｔをデコードし、デコードしたＣＳＩ  ｒｅｑｕｅｓｔに対応付けられたトリガステートに含まれるＴＣＩを取得する。つまり、判定部３２は、ＣＳＩ  ｒｅｑｕｅｓｔに関連付けられたＴＣＩを取得する。
【０１３９】
判定部３２は、取得したＴＣＩに対応するリファレンスＲＳの測定結果の履歴を記憶する測定履歴テーブルＴ１を参照する。測定履歴テーブルＴ１は、後述する記憶部３４に記憶される。判定部３２は、取得したＴＣＩに対応するリファレンスＲＳの測定結果を測定履歴テーブルＴ１から取得して、取得した測定結果が、判定情報として受信した閾値以上であるかに応じて、ＣＳＩ報告の指示に応じるか否かを判定する。
測定結果は、ＲＳＲＰである。なお、測定結果は、ＲＳＲＱ（Reference Signal Received Quality）であってもよい。
【０１４０】
ここで、図１３を用いて、判定部３２が行うＣＳＩ報告の実施判定について説明する。図１３は、実施の形態３におけるＣＳＩ報告の実施判定を説明する図である。また、図１３を用いて、指示情報と判定情報との関係についても説明する。
【０１４１】
図１３に示すように、指示情報は、単一のトリガ情報（CSI request）を含み、トリガ情報は、通信端末３０＿１〜３０＿６で共通する。また、指示情報は、トリガ情報に関連付けられたリファレンスＲＳを識別するＴＣＩを含む。具体的には、トリガ情報に関連付けられたリファレンスＲＳを識別するＴＣＩは、トリガ情報に対応するトリガステート（trigger state）に含まれるＱＣＬ情報に設定される。なお、トリガ情報は通信端末３０＿１〜３０＿６に共通するが、トリガステートは通信端末３０＿１〜３０＿６に対して共通では無く、各通信端末に個別に設定される。
【０１４２】
判定情報は、ＣＳＩ報告の実施判定に用いられる閾値を含む。
測定履歴テーブルＴ１は、ＴＣＩと、当該ＴＣＩにより識別されるリファレンスＲＳの過去の測定結果であって、ＣＳＩ報告として基地局２０に送信した測定結果と、が対応付けて設定される。
【０１４３】
判定部３２は、指示情報および判定情報に基づいてＴＣＩを取得する。判定部３２は、測定履歴テーブルＴ１を参照し、取得したＴＣＩに対応するリファレンスＲＳの測定結果を測定履歴テーブルＴ１から取得する。図１３に示す一例では、取得したＴＣＩがＡであるとすると、測定履歴テーブルＴ１からＴＣＩがＡに対する過去の測定結果であるＲＳＲＰを取得する。ＴＣＩがＡに対する測定結果がＢｄＢｍであったとする。判定部３２は、取得した測定結果と、判定情報に含まれる閾値とを比較する。
【０１４４】
ＢｄＢｍが閾値以上である場合、判定部３２は、ＣＳＩ報告の指示に応じると判定する。この場合、判定部３２は、受信したＣＳＩ  ｒｅｑｕｅｓｔによって指定されたトリガステートに関連付けられたＣＳＩ報告設定と、当該ＣＳＩ報告設定と結合状態のＣＳＩ−ＲＳリソース設定を特定する。そして、判定部３２は、ＣＳＩ−ＲＳリソース設定からＣＳＩ−ＲＳが送信され得るＲＥを特定し、当該ＲＥでＲＳＲＰを測定する。
【０１４５】
一方、ＢｄＢｍが閾値未満である場合、判定部３２は、ＣＳＩ報告の指示に応じないと判定する。この場合、判定部３２は、ＣＳＩ−ＲＳの測定を行わない。このように、ＣＳＩ報告の指示に応じないと判定させる理由は、リファレンスＲＳの測定結果（例えば、ＲＳＲＰ）が閾値よりも小さい値である場合、当該リファレンスＲＳと空間的にＱＣＬなＣＳＩ−ＲＳのＲＳＲＰも同様に小さいと考えられるためである。
【０１４６】
記憶部３４は、測定履歴テーブルＴ１を記憶する。記憶部３４は、通信端末３０を制御するためのプログラム、各種設定情報等を記憶する。なお、測定履歴テーブルＴ１は、判定部３２が記憶してもよい。
【０１４７】
＜無線通信システムの動作例＞
続いて、実施の形態３における無線通信システムの動作例について説明する。実施の形態３にかかる無線通信システムの動作例は、基本的な動作例は実施の形態１および２と同様である。そのため、図１０を用いて、実施の形態３にかかる無線通信システムの動作例を説明する。また、実施の形態３にかかる無線通信システムの動作例のうち、実施の形態１および２と同様である動作については説明を割愛する。
【０１４８】
まず、基地局２０は、ＣＳＩ報告の指示を通信端末３０に行う（ステップＳ１）。具体的には、送信部２１は、指示情報および判定情報を通信端末３０に送信する。指示情報は、単一のトリガ情報を含み、通信端末３０に共通のトリガ情報である。また、指示情報は、トリガ情報に関連付けられたリファレンスＲＳを識別するＴＣＩを含む。判定情報は、ＣＳＩ報告の指示に応じるか否かを判定する際に用いる閾値を含む。さらに、送信部２１は、通信端末３０に共通のＲＮＴＩを設定する。
【０１４９】
次に、通信端末３０は、ＣＳＩ報告の指示を基地局２０から受信し（ステップＳ２）、ＣＳＩ報告の指示に応じるか否かを判定する（ステップＳ３）。具体的には、受信部３１が、ＣＳＩ報告の指示を基地局２０から受信すると、判定部３２が、共通のＲＮＴＩによってスクランブルされたＤＣＩ  ｆｏｒｍａｔをデコードし、ＣＳＩ  ｒｅｑｕｅｓｔを取得する。判定部３２は、取得したＣＳＩ  ｒｅｑｕｅｓｔによって指定されるトリガステートに含まれるＴＣＩを取得する。
【０１５０】
判定部３２は、取得したＴＣＩに対応するリファレンスＲＳ（ＣＳＩ−ＲＳまたはＳＳ／ＰＢＣＨ−ｂｌｏｃｋ）のＲＳＲＰの測定結果の履歴を測定結果履歴テーブルＴ１から取得する。判定部３２は、取得したＲＳＲＰが閾値以上であるか否かを判定する。換言すると、取得したＴＣＩに対応するリファレンスＲＳのＲＳＲＰを過去に測定し、基地局２０に報告していた場合、判定部３２は、当該ＲＳＲＰが閾値以上であるか否かを判定する。
【０１５１】
ステップＳ３において、通信端末３０がＣＳＩ報告の指示に応じると判定する場合（ステップＳ３のＹＥＳ）、通信端末３０は、ＣＳＩ報告を基地局２０に送信する（ステップＳ４）。具体的には、判定部３２は、取得したＣＳＩ  ｒｅｑｕｅｓｔによって指定されたトリガステートに関連付けられたＣＳＩ報告設定と、当該ＣＳＩ報告設定と結合状態のＣＳＩ−ＲＳリソース設定を特定する。そして、判定部３２は、特定したＣＳＩ−ＲＳリソース設定からＣＳＩ−ＲＳが送信され得るＲＥを特定し、当該ＲＥでＲＳＲＰを測定する。
【０１５２】
一方、ステップＳ３において、通信端末３０がＣＳＩ報告の指示に応じないと判定する場合（ステップＳ３のＮＯ）、通信端末３０は、ＣＳＩ―ＲＳのＲＳＲＰの測定およびＣＳＩ報告を実施しない。具体的には、ステップＳ３において、取得したＴＣＩに対応するリファレンスＲＳのＲＳＲＰを過去に測定し、基地局２０に報告していたＲＳＲＰが閾値未満である場合、判定部３２は、ＣＳＩ報告の指示に応じないと判定する。この場合、判定部３２は、ＣＳＩ−ＲＳの測定を行わない。
ステップＳ５以降は、実施の形態１と同様であるので、説明を割愛する。
【０１５３】
以上説明したように、本実施の形態においても、基地局２０は、指示情報および判定情報を通信端末３０に送信する。指示情報は、複数の通信端末３０に共通するトリガ情報を含み、トリガ情報に関連付けられたリファレンスＲＳに対応するＴＣＩを含む。また、判定情報は、ＴＣＩから識別されるリファレンスＲＳの測定結果を用いて、ＣＳＩ報告の指示に応じるか否かを判定する際に用いられる閾値を含む。そして、通信端末３０は、当該閾値を用いて、ＣＳＩ報告の指示に応じるか否かを判定する。これにより、基地局２０は、ＣＳＩ報告が必要な通信端末にはＣＳＩ報告を行わせ、ＣＳＩ報告が必要では無い通信端末にはＣＳＩ報告を行わせない。したがって、本実施の形態によれば、不要なＣＳＩ報告を低減することが出来る。
【０１５４】
また、上述したように、本実施の形態によれば、不要なＣＳＩ報告を低減することが出来る。したがって、アップリンクの無線リソースの消費を抑制することが可能となり、他の無線リンクへの干渉を抑制することが可能となる。
【０１５５】
また、実施の形態３においては、ＣＳＩ報告の指示に応じるか否かを通信端末３０において判定することが可能である。そのため、基地局２０は、実施の形態１および２と比較して、ＣＳＩ報告の指示を通信端末３０に行う際の制御情報として設定するデータ量を抑制することが可能となる。したがって、実施の形態３によれば、実施の形態１および２と比較して、ダウンリンクの無線リソースの消費を抑制することが可能となる。
【０１５６】
（他の実施の形態）
図１４は、上述した実施の形態において説明した基地局１、２０および通信端末３０（以下、基地局１等と称する）の構成例を示すブロック図である。図１４を参照すると、基地局１等は、ネットワーク・インターフェース１２０１、プロセッサ１２０２、及びメモリ１２０３を含む。ネットワーク・インターフェース１２０１は、他の無線通信装置と通信するために使用される。ネットワーク・インターフェース１２０１は、例えば、IEEE 802.11 series、IEEE 802.3 seriesに準拠したネットワークインターフェースカード（NIC）を含んでもよい。
【０１５７】
プロセッサ１２０２は、メモリ１２０３からソフトウェア（コンピュータプログラム）を読み出して実行することで、上述の実施形態においてフローチャートを用いて説明された基地局１等の処理を行う。プロセッサ１２０２は、例えば、マイクロプロセッサ、MPU（Micro Processing Unit）、又はCPU（Central Processing Unit）であってもよい。プロセッサ１２０２は、複数のプロセッサを含んでもよい。
【０１５８】
メモリ１２０３は、揮発性メモリ及び不揮発性メモリの組み合わせによって構成される。メモリ１２０３は、プロセッサ１２０２から離れて配置されたストレージを含んでもよい。この場合、プロセッサ１２０２は、図示されていないI/Oインタフェースを介してメモリ１２０３にアクセスしてもよい。
【０１５９】
図１４の例では、メモリ１２０３は、ソフトウェアモジュール群を格納するために使用される。プロセッサ１２０２は、これらのソフトウェアモジュール群をメモリ１２０３から読み出して実行することで、上述の実施形態において説明された基地局１等の処理を行うことができる。
【０１６０】
図１４を用いて説明したように、基地局１等が有するプロセッサの各々は、図面を用いて説明されたアルゴリズムをコンピュータに行わせるための命令群を含む１または複数のプログラムを実行する。
【０１６１】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、非一時的なコンピュータ可読媒体の例は、ＣＤ−ＲＯＭ（Read Only Memory）、ＣＤ−Ｒ、ＣＤ−Ｒ／Ｗを含む。さらに、非一時的なコンピュータ可読媒体の例は、半導体メモリを含む。半導体メモリは、例えば、マスクＲＯＭ、ＰＲＯＭ（Programmable ROM）、ＥＰＲＯＭ（Erasable PROM）、フラッシュＲＯＭ、ＲＡＭ（Random Access Memory）を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１６２】
なお、本開示は上記実施の形態に限られたものではなく、趣旨を逸脱しない範囲で適宜変更することが可能である。また、本開示は、それぞれの実施の形態を適宜組み合わせて実施されてもよい。
【０１６３】
また、上記の実施形態の一部又は全部は、以下の付記のようにも記載されうるが、以下には限られない。
（付記１）
少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々に判定させるための第２の制御情報と、を前記少なくとも１つの通信端末に送信する送信部を備える、基地局。
（付記２）
前記第１の制御情報は、前記ＣＳＩ報告をトリガするトリガ情報であって、候補となる複数のトリガ情報を含み、
前記第２の制御情報は、前記複数のトリガ情報のうちのいずれかを指定するインデックス情報であり、
前記送信部は、前記インデックス情報が指定したトリガ情報に基づいて、前記ＣＳＩ報告の指示に応じるか否かを前記少なくとも１つの通信端末の各々に判定させる、付記１に記載の基地局。
（付記３）
前記トリガ情報は、ＣＳＩ  ｒｅｑｕｅｓｔであり、
前記送信部は、前記インデックス情報が指定したＣＳＩ  ｒｅｑｕｅｓｔの値が所定値である場合、前記ＣＳＩ報告の指示に応じないと前記少なくとも１つの通信端末の各々に判定させ、前記インデックス情報が指定したＣＳＩ  ｒｅｑｕｅｓｔの値が所定値ではない場合、前記ＣＳＩ  ｒｅｑｕｅｓｔの値に基づく前記ＣＳＩ報告を前記少なくとも１つの通信端末の各々に行わせる、付記２に記載の基地局。
（付記４）
前記第１の制御情報は、前記少なくとも１つの通信端末に共通する前記ＣＳＩ報告をトリガするトリガ情報と、前記トリガ情報に関連付けられた前記ＣＳＩ報告の設定情報と、を含み、
前記第２の制御情報は、前記設定情報が有効であるか否かを示す情報であり、
前記送信部は、前記第２の制御情報に基づいて、前記ＣＳＩ報告の指示に応じるか否かを前記少なくとも１つの通信端末の各々に判定させる、付記１に記載の基地局。
（付記５）
前記送信部は、前記設定情報が無効である場合、前記ＣＳＩ報告の指示に応じないと前記少なくとも１つの通信端末の各々に判定させ、前記設定情報が有効である場合、前記設定情報に基づく前記ＣＳＩ報告を前記少なくとも１つの通信端末の各々に行わせる、付記４に記載の基地局。
（付記６）
前記トリガ情報は、ＣＳＩ  ｒｅｑｕｅｓｔであり、
前記第２の制御情報は、ＭＡＣ（Medium Access Control）コントロールエレメントを用いた情報である、付記４または５に記載の基地局。
（付記７）
前記第１の制御情報は、前記少なくとも１つの通信端末に共通する前記ＣＳＩ報告をトリガするトリガ情報と、前記トリガ情報に関連付けられた基準参照信号を識別する識別情報と、を含み、
前記第２の制御情報は、前記ＣＳＩ報告の指示に応じるか否かを判定する際に用いる閾値であり、
前記送信部は、前記識別情報により識別される基準参照信号に対する測定結果の履歴情報と前記閾値とに基づいて、前記ＣＳＩ報告の指示に応じるか否かを前記少なくとも１つの通信端末の各々に判定させる、付記１に記載の基地局。
（付記８）
前記送信部は、前記履歴情報に含まれる前記測定結果が前記閾値未満である場合、前記ＣＳＩ報告の指示に応じないと前記少なくとも１つの通信端末の各々に判定させ、前記履歴情報に含まれる前記測定結果が前記閾値以上である場合、前記トリガ情報に基づく前記ＣＳＩ報告を前記少なくとも１つの通信端末の各々に行わせる、付記７に記載の基地局。
（付記９）
前記トリガ情報は、ＣＳＩ  ｒｅｑｕｅｓｔであり、
前記識別情報は、前記ＣＳＩ  ｒｅｑｕｅｓｔに関連付けられたｔｒｉｇｇｅｒ  ｓｔａｔｅ情報に含まれるＴＣＩ（Transmission Configuration Indication）である、付記７または８に記載の基地局。
（付記１０）
前記測定結果は、前記基準参照信号のＲＳＲＰ（Reference Signal Received Power）である、付記７〜９のいずれか１項に記載の基地局。
（付記１１）
前記送信部は、前記少なくとも１つの通信端末が参照する共通のＲＮＴＩ（Radio Network Temporary Identifier）をさらに送信し、
前記トリガ情報は、前記共通のＲＮＴＩにより秘匿化されたＤＣＩ  ｆｏｒｍａｔ（Downlink Control Information format）を復号することにより取得される、付記２〜１０のいずれか１項に記載の基地局。
（付記１２）
自装置を含む少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々が判定するための第２の制御情報と、を基地局から受信する受信部と、
前記第２の制御情報に基づいて、前記ＣＳＩ報告の指示に応じるか否かを判定する判定部と、
前記判定部が前記ＣＳＩ報告の指示に応じると判定する場合、前記第１の制御情報に基づく前記ＣＳＩ報告を前記基地局に送信する送信部と、を備える通信端末。
（付記１３）
前記第１の制御情報は、前記ＣＳＩ報告をトリガするトリガ情報であって、候補となる複数のトリガ情報を含み、
前記第２の制御情報は、前記複数のトリガ情報のうちのいずれかを指定するインデックス情報であり、
前記判定部は、前記インデックス情報が指定したトリガ情報に基づいて、前記ＣＳＩ報告の指示に応じるか否かを判定する、付記１２に記載の通信端末。
（付記１４）
前記第１の制御情報は、前記少なくとも１つの通信端末に共通する前記ＣＳＩ報告をトリガするトリガ情報と、前記トリガ情報に関連付けられた前記ＣＳＩ報告の設定情報と、を含み、
前記第２の制御情報は、前記設定情報が有効であるか否かを示す情報であり、
前記判定部は、前記第２の制御情報に基づいて、前記ＣＳＩ報告の指示に応じるか否かを判定する、付記１２に記載の通信端末。
（付記１５）
前記第１の制御情報は、前記少なくとも１つの通信端末に共通する前記ＣＳＩ報告をトリガするトリガ情報と、前記トリガ情報に関連付けられた基準参照信号を識別する識別情報と、を含み、
前記第２の制御情報は、前記ＣＳＩ報告の指示に応じるか否かを判定する際に用いる閾値であり、
前記判定部は、前記識別情報により識別される基準参照信号に対する測定結果の履歴情報と前記閾値とに基づいて、前記ＣＳＩ報告の指示に応じるか否かを判定する、付記１２に記載の通信端末。
（付記１６）
少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々に判定させるための第２の制御情報と、を前記少なくとも１つの通信端末に送信する、無線通信方法。
（付記１７）
少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々に判定させるための第２の制御情報と、を前記少なくとも１つの通信端末に送信することをコンピュータに実行させる無線通信プログラム。
（付記１８）
基地局と、少なくとも１つの通信端末と、を含み、
前記基地局は、
前記少なくとも１つの通信端末にチャネル状態情報（ＣＳＩ：Channel State Information）報告を指示する第１の制御情報と、前記ＣＳＩ報告の指示に応じるか否かを前記少なくとも１つの通信端末の各々に判定させるための第２の制御情報と、を前記少なくとも１つの通信端末に送信する送信部を備え、
前記少なくとも１つの通信端末の各々は、
前記第１の制御情報と前記第２の制御情報とを前記基地局から受信する受信部と、
前記第２の制御情報に基づいて、前記ＣＳＩ報告の指示に応じるか否かを判定する判定部と、
前記判定部が前記ＣＳＩ報告の指示に応じると判定した場合、前記第１の制御情報に基づく前記ＣＳＩ報告を前記基地局に送信する送信部と、を備える無線通信システム。
（付記１９）
前記第１の制御情報は、前記ＣＳＩ報告をトリガするトリガ情報であって、候補となる複数のトリガ情報を含み、
前記第２の制御情報は、前記複数のトリガ情報のうちのいずれかを指定するインデックス情報であり、
前記判定部は、前記インデックス情報が指定したトリガ情報に基づいて、前記ＣＳＩ報告の指示に応じるか否かを判定する、付記１８に記載の無線通信システム。
（付記２０）
前記第１の制御情報は、前記少なくとも１つの通信端末に共通する前記ＣＳＩ報告をトリガするトリガ情報と、前記トリガ情報に関連付けられた前記ＣＳＩ報告の設定情報と、を含み、
前記第２の制御情報は、前記設定情報が有効であるか否かを示す情報であり、
前記判定部は、前記第２の制御情報に基づいて、前記ＣＳＩ報告の指示に応じるか否かを判定する、付記１８に記載の無線通信システム。
（付記２１）
前記第１の制御情報は、前記少なくとも１つの通信端末に共通する前記ＣＳＩ報告をトリガするトリガ情報と、前記トリガ情報に関連付けられた基準参照信号を識別する識別情報と、を含み、
前記第２の制御情報は、前記ＣＳＩ報告の指示に応じるか否かを判定する際に用いる閾値であり、
前記判定部は、前記識別情報により識別される基準参照信号に対する測定結果の履歴情報と前記閾値とに基づいて、前記ＣＳＩ報告の指示に応じるか否かを判定する、付記１８に記載の無線通信システム。
【符号の説明】
【０１６４】
１、２０、３００  基地局
２、２１、３３  送信部
１０、１００  無線通信システム
２２、３１  受信部
２３  制御部
３０、３０＿１〜３０＿６、２００〜２０３  通信端末
３２  判定部
【図１】
2019169838.tif 000003
【図２】
2019169838.tif 000004
【図３】
2019169838.tif 000005
【図４】
2019169838.tif 000006
【図５】
2019169838.tif 000007
【図６】
2019169838.tif 000008
【図７】
2019169838.tif 000009
【図８】
2019169838.tif 000010
【図９】
2019169838.tif 000011
【図１０】
2019169838.tif 000012
【図１１】
2019169838.tif 000013
【図１２】
2019169838.tif 000014
【図１３】
2019169838.tif 000015
【図１４】
2019169838.tif 000016